(57)【要約】      （修正有）【課題】ボール等の対象物内の圧力を容易に読み取ることのできるハンドポンプを提供する。【解決手段】シリンダ１２とピストン２０とを有するポンプ部２と、使用者が把持可能な把持部３０と、ノズル６０と、対象物の圧力を検出可能な圧力検出部４０とを設け、把持部３０に、摺動方向に沿って延びる把持部本体と、圧力検出部４０により検出された対象物の圧力を表示可能な圧力表示部４１とを設け、圧力表示部４１を、把持部本体の摺動方向と垂直な方向の外側面に、この摺動方向に沿って配置する。【選択図】図２
0003191874.tif 000002
【実用新案登録請求の範囲】
【請求項１】
対象物の内側に空気を注入するハンドポンプであって、
シリンダと、空気通路が形成されるとともに前記シリンダに対して摺動可能なピストンとを有し、圧縮空気を生成するポンプ部と、
前記ポンプ部の摺動方向前端に設けられて、使用者が把持可能に形成された把持部と、
前記把持部の前端に設けられて、前記対象物に装着された状態で前記圧縮空気をこの対象物の内側に注入するノズルと、を備え、
前記把持部は、摺動方向に沿って延びる空気通路が形成された把持部本体と、前記把持部本体の外側面に配置され、前記対象物の圧力を検出して表示するように構成された圧力表示部と、前記ピストンの前記空気通路と前記把持部本体の前記空気通路との間に配置された逆止弁と、前記逆止弁よりもノズル側に配置され、操作されることによって前記把持部本体の前記空気通路内の空気を外部に排出するように構成された排気弁と、を有している、ハンドポンプ。
【請求項２】
前記把持部本体は、その外側面から内側に凹む凹部を有し、
前記圧力表示部は、前記凹部の開口部分を塞ぐようにして前記把持部本体に組み付けられている、請求項１に記載のハンドポンプ。
【請求項３】
前記把持部は前記ピストンおよびノズルに対して着脱可能である、請求項１又は２に記載のハンドポンプ。
【請求項４】
前記把持部本体には、前後方向に互いに離間した位置において当該把持部本体の外周面から内側に凹む複数の切欠き部が形成されている、請求項１〜３のいずれか１項に記載のハンドポンプ。
【考案の詳細な説明】
【技術分野】
【０００１】
本考案は、ハンドポンプに関するものである。
【背景技術】
【０００２】
従来、球技用ボールや自転車等に空気を注入するための手動式のポンプが知られている。
【０００３】
例えば、特許文献１には、図５に示すようなハンドポンプ１０１が開示されている。このハンドポンプ１０１は、シリンダ１０２と、このシリンダ１０２の内側面に沿って摺動するピストン１０３とを備えている。前記ピストン１０３の内側には、摺動方向に貫通する空気通路１０３ａが形成されており、このピストン１０３の摺動方向先端には前記空気通路１０３ａ内の空気を外部に噴出するためのノズル１０４が取り付けられている。このハンドポンプ１０１では、ピストン１０３を一方の手で把持した状態でシリンダ１０２を他方の手で摺動操作することで圧縮空気を生成し、この圧縮空気をボール等に注入する。具体的には、前記シリンダ１０２とピストン１０３とを離間する方向に動かすことで、シリンダ１０２内に空気が吸入される。そして、このシリンダ１０２とピストン１０３とを近接する方向に動かすことで、シリンダ１０２内の空気が圧縮されて、この圧縮空気が前記ピストン１０３の空気通路１０３ａを介して前記ノズル１０４からボール等に注入される。
【０００４】
特許文献２にも、一方の手でピストンを把持しつつ他方の手でシリンダを摺動操作するハンドポンプが開示されている。
【０００５】
また、特許文献３には、一方の手でシリンダを把持しつつ他方の手でピストンを摺動操作するハンドポンプが開示されている。
【０００６】
ここで、球技用ボール等では、ボール内の空気圧が所定範囲に調節されることが望まれている。しかしながら、前記特許文献１〜３のハンドポンプでは、ボール内の圧力を測定するために別途圧力計を用意せねばならない。
【０００７】
これに対して、例えば、特許文献４には、圧力計が取り付けられたポンプが開示されている。このポンプは、鉛直方向に延びるピストンおよびシリンダと、ピストンの上端に設けられたハンドルと、ピストンの下端部に設けられてシリンダおよびピストンを鉛直方向に支持する土台と、シリンダを囲む外筒部とを備えている。そして、この外筒部の外周面から外側に突出する部分に下方に延びるノズルが設けられているとともに、このノズルの上部にこのノズルに導入される空気の圧力を検出する圧力計が設けられている。このポンプは、前記土台を接地することで自立する。そして、この自立した状態で前記ハンドルが上方から押引操作されることで、ピストンがシリンダに対して上下方向に摺動し、ボール等に圧縮空気が注入される。
【先行技術文献】
【特許文献】
【０００８】
【特許文献１】特開２００６−２００３８４号公報
【特許文献２】ＵＳ５，６８１，１５４号公報
【特許文献３】特開平８−２１３５３号公報
【特許文献４】ＵＳ６，３１８，９６９号公報
【考案の概要】
【考案が解決しようとする課題】
【０００９】
前記特許文献４のポンプでは、接地された状態で前記ハンドルが上方から押引操作されるため、圧力計の表示部は上方を向いている。そのため、ポンプを接地した状態で使用しない場合には圧力計の表示部が見難いという問題がある。また、このポンプでは、対象物内に空気を注入し過ぎた場合でも、容易に空気を抜くことができないという問題もある。
【００１０】
本考案は、前記のような課題を解決するためになされたものであり、その目的は、対象物内の圧力を容易に読み取ることができ、必要な場合には対象物内の空気を容易に抜くことができるハンドポンプを提供することである。
【課題を解決するための手段】
【００１１】
前記目的を達成するために、本考案によるハンドポンプは、対象物の内側に空気を注入するハンドポンプであって、シリンダと、空気通路が形成されるとともに前記シリンダに対して摺動可能なピストンとを有し、圧縮空気を生成するポンプ部と、前記ポンプ部の摺動方向前端に設けられて、使用者が把持可能に形成された把持部と、前記把持部の摺動方向前端に設けられて、前記対象物に装着された状態で前記圧縮空気をこの対象物の内側に注入するノズルと、を備え、前記把持部は、摺動方向に沿って延びる空気通路が形成された把持部本体と、前記把持部本体の外側面に配置され、前記対象物内の圧力を検出して表示するように構成された圧力表示部と、前記ピストンの前記空気通路と前記把持部本体の前記空気通路との間に配置された逆止弁と、前記逆止弁よりもノズル側に配置され、操作されることによって前記把持部本体の前記空気通路内の空気を外部に排出するように構成された排気弁と、を有している。
【００１２】
このハンドポンプによれば、対象物内の圧力を表示する圧力表示部が把持部本体の外側面に設けられているので、一方の手でこの把持部を把持しながら他方の手で前記ポンプ部を摺動操作する際に前記対象物内の圧力を容易に確認することができる。また、把持部に排気弁が設けられているので、把持部を把持しながら、排気弁を操作することができる。したがって、圧力表示部によって確認された空気が過剰圧力となっているような場合等に、空気を抜く操作を楽に行うことができる。しかも、排気弁が逆止弁よりもノズル側に配置されているので、把持部本体の空気通路内の空気を排気弁によって確実に抜くことができる。
【００１３】
前記ハンドポンプにおいて、前記把持部本体は、その外側面から内側に凹む凹部を有し、前記圧力表示部は、前記凹部の開口部分を塞ぐようにして前記把持部本体に組み付けられているのが好ましい。
【００１４】
この構成によれば、圧力表示部が把持部本体に形成された凹部を塞ぐように配置されているので、把持部本体に対する圧力表示部の組み付け構造を簡易な構成にすることができる。
【００１５】
前記ハンドポンプにおいて、前記把持部は前記ピストンおよびノズルに対して着脱可能であるのが好ましい。
【００１６】
この構成によれば、前記ノズルを前記把持部から取り外すとともに、この把持部を前記ピストンから取り外すことで、摺動方向の長さを小さくすることができ、持ち運びを容易にすることができる。また、仮に圧力表示部が故障した場合であっても、把持部を交換するだけでよく、メンテナンスが容易になる。
【００１７】
前記ハンドポンプにおいて、前記把持部には、その径方向の外側端面から内側に凹む複数の切欠き部が形成されているのが好ましい。
【００１８】
この構成によれば、把持部ひいてはハンドポンプ全体を軽量化することができる。
【考案の効果】
【００１９】
以上説明したように、本考案によれば、ボール等の対象物内の圧力を容易に読み取ることのできるハンドポンプを得ることができる。
【図面の簡単な説明】
【００２０】
【図１】本考案の実施形態によるハンドポンプの外観を示す図である。
【図２】本考案の実施形態によるハンドポンプの構成を示す断面図である。
【図３】本考案の実施形態によるハンドポンプのシリンダが後方に摺動操作された状態を示す断面図である。
【図４】本考案の実施形態によるハンドポンプの把持部の一部の構成を示す断面図である。
【図５】従来の一例によるハンドポンプの構成を概略的に示す図である。
【考案を実施するための形態】
【００２１】
以下、本考案の実施形態を図面を参照して説明する。
【００２２】
図１、図２および図３は、本実施形態に係るハンドポンプ１の構成を示す図である。このハンドポンプ１は、例えば、競技用ボール等内に空気を注入するために用いられる。
【００２３】
前記ハンドポンプ１は、シリンダ１０とこのシリンダ１０の内側面に沿って摺動可能なピストン２０とを有するポンプ部２と、前記ピストン２０の前端に取り付けられる把持部３０と、この把持部３０の前端に取り付けられてボール等の対象物に装着されるノズル６０とを備えている。シリンダ１０は、把持部３０から後方に向かって延びており、少なくとも掌サイズよりも長く形成されている。
【００２４】
本ハンドポンプ１では、前記シリンダ１０が図２に示す状態から後方すなわち前記把持部３０から離間する方向に摺動操作されて図３に示す状態になることで外部からシリンダ１０内に空気が導入される。その後、シリンダ１０が前方に向かって摺動操作されることで前記シリンダ１０内に導入された空気が圧縮される。この圧縮空気は、ピストン２０の内側に形成されたピストン内通路２０ａを通って前記把持部３０の内側に形成された把持部内通路３１ａに導入される。その後、この圧縮空気は、前記把持部内通路３１ａから前記ノズル６０の内側に形成されたノズル内通路６０ａに導入され、このノズル内通路６０ａから対象物内に注入される。
【００２５】
前記シリンダ１０は、前方に開口する有底の略円筒状を有している。このシリンダ１０の後端面１２には、この後端面１２を内外に貫通する複数の貫通孔１２ａが形成されているとともに第１逆止弁１４が設けられている。この第１逆止弁１４は、前記貫通孔１２ａを介して外部からシリンダ１０内へ空気が流入するのを許容する一方、前記貫通孔１２ａを介してシリンダ１０内から外部へ空気が流出するのを規制するものである。この第１逆止弁１４によって、シリンダ１０内の圧縮空気が前記貫通孔１２ａを介して外部に流出するのが回避されている。
【００２６】
前記ピストン２０は、ピストンロッド２１とこのピストンロッド２１の後端に設けられた圧縮部２２とを有する。ピストンロッド２１は、前後方向に延びる略筒状を有し、その内側には前記ピストン内通路２０ａが形成されている。このピストンロッド２１の前端の外周面には、ねじ部２６が設けられている。このねじ部２６は、把持部３０に設けられた後述する後側取り付けねじ部３８と螺合する部分である。
【００２７】
前記圧縮部２２は、前後方向と垂直な方向に広がる略円板状を有している。この圧縮部２２の断面積は、シリンダ１０の断面積よりもわずかに小さい値に設定されている。この圧縮部２２には、前後方向に貫通する貫通孔２２ａが形成されている。前記シリンダ１０の内側空間と前記ピストン内通路２０ａとは、この貫通孔２２ａを介して連通している。シリンダ１０内の圧縮空気は、この貫通孔２２ａを通って前記ピストン内通路２０ａに導入される。また、この圧縮部２２にはシール部材２３が取り付けられている。このシール部材２３がピストン２０とシリンダ１０とに密着することによって、ピストン２０とシリンダ１０とは気密状態に保たれている。
【００２８】
前記把持部３０は、シリンダ１０の操作時に使用者が把持するための部分である。使用者がこの把持部３０を把持することにより、前記ピストン２０およびノズル６０を対象物に対して安定して固定することができる。この把持部３０は、把持部本体３１と、圧力表示部４１とを備えている。
【００２９】
前記把持部本体３１は、図４に示すように、前後方向に延びる形状を有しており、前後方向に垂直な方向の断面が略円形となっている。この把持部本体３１の前後方向の長さおよび外径は、人が片手で把持するのに適した長さおよび大きさに設定されている。本実施形態では、この把持部本体３１の前後方向の長さは前記シリンダ１０の約半分に設定されている。また、この把持部本体３１の外径は、前記シリンダ１０よりも大径に設定されている。
【００３０】
前記把持部本体３１には前後方向に貫通する前記把持部内通路３１ａが形成されている。この把持部内通路３１ａは前記ピストン内通路２０ａおよびノズル６０に形成された前記ノズル内通路６０ａと連通している。
【００３１】
前記把持部内通路３１ａの後端には、第２逆止弁３７が設けられている。この第２逆止弁３７は、前記ピストン内通路２０ａから把持部内通路３１ａへの空気の流入を許容する一方、その逆の流れを規制するものである。この第２逆止弁３７により、対象物内から前記ノズル内通路６０ａおよびこの把持部内通路３１ａを介してピストン２０側に高圧の空気が逆流するのが回避されている。
【００３２】
ここで、前記第２逆止弁３７が設けられることで前記把持部内通路３１ａ内と前記ピストン内通路２０ａ内との間には圧力差が生じる場合がある。一方、前記把持部内通路３１ａと前記ノズル内通路６０ａとの間にはこのような逆止弁は設けられていない。そのため、この把持部内通路３１ａ内の圧力とノズル内通路６０ａひいては対象物内の圧力とは同じに保たれる。
【００３３】
前記把持部本体３１には、前記把持部内通路３１ａから径方向外側に延びてこの把持部内通路３１ａと外部とを連通する空気抜き孔３１ｂが形成されている。この空気抜き孔３１ｂには、当該空気抜き孔３１ｂの開口部を開閉して把持部内通路３１ａひいては対象物内から外部への空気の流出を規制あるいは許容する空気抜きバルブ５２が取り付けられている。具体的には、前記空気抜き孔３１ｂにはその内周面から内側に突出する突出壁３１ｃが設けられており、前記空気抜きバルブ５２はこの突出壁３１ｃで囲まれた開口部を開閉する。
【００３４】
前記空気抜きバルブ５２は、前記突出壁３１ｃの下側（把持部本体３１における径方向内側）から空気抜き孔３１ｂの外部まで延びており、外部から押圧操作可能に構成されている。この空気抜きバルブ５２の下端部５２ａは、前記突出壁３１ｃで囲まれた領域よりも広い面積の板状を有しており、その上方（径方向外方）にはシール部材５３が取り付けられている。
【００３５】
前記空気抜きバルブ５２は、外部から押圧操作されていない状態では、ばね５４により上方に付勢されており、その下端部５２ａは前記シール部材５３を介して内側（把持部内通路３１ａ側）から前記突出壁３１ｃに押し当てられている。そして、前記シール部材５３が前記空気抜きバルブ５２と突出壁３１ｃとにそれぞれ密着しており、空気抜きバルブ５２の下端部５２ａと突出壁３１ｃとの間の隙間が密閉されている。このようにして、通常状態では、前記隙間を通って前記把持部内通路３１ａから外部へ空気が流出するのが規制されている。
【００３６】
一方、前記空気抜きバルブ５２が前記ばね５４の付勢力に抗して下向きに押圧操作されると、前記シール部材５３が前記突出壁３１ｃの下面（把持部内通路３１ａ側の面）から離間する。この状態では、前記空気抜きバルブ５２の下端部５２ａと突出壁３１ｃとの間に隙間が形成される結果、前記把持部内通路３１ａひいては対象物と外部との圧力差に応じて、前記隙間を通って把持部内通路３１ａひいては対象物から空気抜き孔３１ｂを通して外部へ空気が流出する。このようにして、本ハンドポンプ１では、空気抜き孔３１ｂと、空気抜きバルブ５２と、シール部材５３と、ばね５４とにより、対象物の空気を外部に抜き出すことが可能な排気弁が構成されている。そして、排気弁は、通常状態では、把持部内通路３１ａ内の空気が流出するのを阻止する構成であるが、使用者によって操作されることにより、把持部内通路３１ａの空気が外部に排気されることを許容する。なお、排気弁は上記の構成に限られるものではない。
【００３７】
前記把持部本体３１には、径方向外側に膨出する大径の膨出部３２が設けられている。この膨出部３２には、その径方向外側面から径方向内側に凹む凹部３３が形成されている。この凹部３３には、前記把持部内通路３１ａ内の圧力ひいてはボール等の対象物内の圧力を検出して表示する圧力表示部４１が装着されている。すなわち、圧力表示部４１は、凹部３３の開口部分を塞ぐように凹部３３に把持部本体３１に組み付けられている。この凹部３３の底には前記把持部内通路３１ａと連通する連通孔３１ｄが形成されており、凹部３３と前記把持部内通路３１ａとは連通している。前述のように、前記ノズル６０が対象物に装着された状態で、前記把持部内通路３１ａ内の圧力とノズル内通路６０ａひいては対象物内の圧力とは同じに保たれている。
【００３８】
前記圧力表示部４１は、圧力検出部４０と表示部４２とを有している。圧力検出部４０は、前記把持部内通路３１ａと連通する凹部３３の内側の空間の圧力を検出することにより、前記対象物内の圧力を検出する。この圧力検出部４０は、例えば、金属管が内蔵されたブルドン管圧力計である。
【００３９】
前記表示部４２は、前記圧力検出部４０により検出された対象物内の圧力を表示する部分である。この表示部４２は、目盛が刻まれた表示板４２ａと前記圧力検出部４０に接続された指針４２ｂとを有する。この指針４２ｂは、前記圧力検出部４０の検出結果に応じて所定量回転し、検出圧力を指し示す。なお、圧力表示部４１は、指針４２ｂによって検出圧力を指し示すアナログ式に限られるものではなく、デジタル表示によって検出圧力を指し示すデジタル表示器としてもよい。なお、デジタル表示器には、オンオフスイッチが設けられていてもよい。
【００４０】
この圧力表示部４１は、前記凹部３３の開口部分を塞ぐようにして前後方向に沿って配置されている。そして、この圧力表示部４１は、前後方向すなわちシリンダ１０の摺動操作方向と垂直な方向を向いている。そのため、シリンダ１０を摺動操作する際にこの圧力表示部４１を使用者側に向けることができる。例えば、一方の手で把持部３０を把持して他方の手でシリンダ１０を水平方向に摺動操作する際には、この圧力表示部４１を上向きにすることができ、使用者はシリンダ１０を操作しながら容易に検出圧力を確認することができる。
【００４１】
ここで、前記凹部３３が形成される膨出部３２は把持部本体３１から外側に膨出しており、この凹部３３の開口部分は比較的大きな面積を有している。すなわち、把持部本体３１の長手方向に直交する方向において、膨出部３２の幅が把持部本体３１の幅よりも大きくなっている。そのため、本ハンドポンプ１では、この凹部３３の開口部分に対して比較的大きな圧力表示部４１を把持部本体３１に取り付けることができる。しかも、この大径の膨出部３２を把持することで使用者は安定して把持部本体３１を把持することができ、使用者は前記シリンダ１０の操作時に力を入れやすいという効果もある。
【００４２】
また、前記把持部本体３１には、後方に突出するフード部３４が設けられている。このフード部３４は、前記シリンダ１０が最前方に配置された状態で、このシリンダの前端部の外周を囲む形状を有している。
【００４３】
前記把持部本体３１には、前記フード部３４の内側において後方に突出する後側取り付けねじ部３６が設けられている。この後側取り付け部３６は、前述のように、前記ピストン２０のねじ部２６と螺合する部分である。この螺合により、把持部本体３１ひいては把持部３０はピストン２０の前端に固定される。なお、この螺合状態を解除すれば、ピストン２０を把持部３０から容易に取り外すことができる。このようにして、本ハンドポンプ１では、把持部３０とピストン２０とが容易に着脱可能となっている。なお、ピストン２０にはシリンダ１０が外嵌されているので、ピストン２０を把持部３０から取り外した場合には、シリンダ１０もピストン２０と一緒に把持部３０から取り外される。
【００４４】
また、前記把持部本体３１の前端には、前側取り付けねじ部３８が設けられている。この前側取り付けねじ部３８は、前記ノズル６０に設けられた後述するねじ部６８と螺合する部分である。この螺合により、ノズル６０は把持部本体３１の前端に固定される。なお、この螺合状態を解除すれば、ノズル６０を把持部３０から容易に取り外すことができる。このようにして、本ハンドポンプ１では、把持部３０とノズル４０とが容易に着脱可能となっている。
【００４５】
また、本ハンドポンプ１では、前記把持部本体３１に、その外周面から内側に凹む切欠き部３９が前後方向に互いに離間した位置に複数形成されており、把持部本体３１の外径を所定の大きさに維持しつつ把持部本体３１の軽量化が図られている。
【００４６】
前記ノズル６０は、前述のように、ボール等の対象物に装着される部分である。具体的には、このノズル６０の先端には空気針６２が設けられており、この空気針６２が対象物の内側に挿入される。空気針６２の先端にはノズル６０の内側に形成されたノズル内通路６０ａ内の空気を外部に排出する空気孔６２ａが形成されており、この空気孔６２ａから対象物内に圧縮空気が注入される。このノズル６０の後端には、前述のように、前記把持部本体３１の前側取り付けねじ部３８と螺合するねじ部６８が形成されている。
【００４７】
以上のように構成されたハンドポンプ１では、まず、ボール等の対象物内に前記ノズル６０の空気針６２を挿入する。この状態において、対象物内とノズル内通路６０ａおよび把持部内通路３１ａとは連通し、把持部内通路３１ａの圧力は対象物内の圧力となり、前記圧力表示部４１の表示部４２にはボール等内の圧力が表示される。
【００４８】
前記表示された対象物内の圧力が所望の圧力よりも低い場合には、前記表示部４２に表示される圧力を確認しつつ、一方の手で前記把持部本体３１を把持しつつ他方の手でシリンダ１０を把持しながら、当該シリンダ１０を摺動操作してシリンダ１０内で圧縮された空気を対象物内に注入する。このとき、一方の手で把持した把持部本体３１に圧力表示部４１が配置されているので、使用者はこの圧力表示部４１の表示部４２を容易に確認しつつ摺動操作を行なうことができる。また、前記把持部３０のうち大径の膨出部３２付近を持って操作することで、使用者は力を入れやすくシリンダ１０の摺動操作を容易に行なうことができる。
【００４９】
一方、対象物内の圧力が所望の圧力よりも高い場合には、前記圧力表示部４１の表示部４２に表示される圧力を確認しつつ、前記空気抜き空気抜きバルブ５２を押圧操作して対象物内から外部に空気を排出すればよい。
【００５０】
このように、本ハンドポンプ１によれば、圧力表示部４１が把持部３０にシリンダ１０の摺動操作方向に沿って設けられている。そのため、シリンダ１０の摺動操作時に対象物内の圧力を容易に確認することができる。また、把持部本体３１に排気弁が設けられているので、把持部３０を把持しながら、排気弁を操作することができる。したがって、圧力表示部４１によって確認された空気が過剰圧力となっているような場合等に、空気を抜く操作を楽に行うことができる。しかも、排気弁が第２逆止弁３７よりもノズル６０側に配置されているので、把持部内通路３１ａ内の空気を排気弁によって確実に抜くことができる。
【００５１】
また、このハンドポンプ１では、圧力表示部４１が把持部本体３１の凹部３３の開口部分を塞ぐようにして配置されている。そのため、把持部本体３１に対する圧力表示部４１の組み付け構造を簡易な構成にすることができる。
【００５２】
また、このハンドポンプ１では、前記排気弁により対象物内の空気を外部に排出することができ、対象物内の圧力の微調整を容易に行なうことができる。
【００５３】
また、このハンドポンプ１では、前記把持部３０が前記ピストン２０およびノズル６０に対して容易に着脱することができ、これらを取り外すことで持ち運びが容易になる。また、仮に圧力検出部４０が故障した場合であっても、この圧力検出部４０を交換するだけでよく、メンテナンスが容易になる。
【００５４】
また、このハンドポンプ１では、前記把持部本体３１に複数の切欠き部３９が形成されているので、把持部本体３１を軽量化することができる。
【００５５】
ここで、前記圧力表示部４１は、前記把持部本体３１の径方向外側面に沿って配置されていればよく、例えば、把持部本体３１の径方向外側面に張り付けられていてもよい。
【００５６】
前記圧力検出部４０はブルドン管圧力計に限定されず、把持部内通路３１ａ内の圧力を検出できるものであればよい。
【００５７】
また、前記排気弁の具体的構成は前記に限らず、把持部内通路３１ａの空気を外部に排出可能なものであればよい。例えば、スライド操作により前記空気抜き孔３１ｂの開口部を開閉するような構成であってもよい。
【符号の説明】
【００５８】
１    ハンドポンプ
２    ポンプ部
１０    シリンダ
２０    ピストン
２０ａ    ピストン内通路
３０    把持部
３１    把持部本体
３１ａ    把持部内通路
３１ｂ    空気抜き孔
３２    膨出部
３３    凹部
３９    切欠き部
４０    圧力検出部
４１    圧力表示部
４２    表示部
６０    ノズル
【図１】
0003191874.tif 000003
【図２】
0003191874.tif 000004
【図３】
0003191874.tif 000005
【図４】
0003191874.tif 000006
【図５】
0003191874.tif 000007